(57)【要約】      （修正有）【課題】使用後にゴミが発生せず、しかも施工が容易なマルチング材として用いられる植樹マットを提供する。【解決手段】樹木Ｔが植えられた地表面を覆うマルチング材として用いられる植樹マット３０であって、有機物からなるチップと、チップが内部に封入されるとともに通水性を備え、しかも有機物の繊維材からなる袋体とを備え、さらに袋体は、端部から中央部を越えてスリットが形成された分割部３４を有する二股の袋状であり、チップは木屑、袋体は不織布であって、袋体にはチップとともに肥料を封入した。【選択図】図４
0003153724.tif 000002
【実用新案登録請求の範囲】
【請求項１】
樹木が植えられた地表面を覆うマルチング材として用いられる植樹マットであって、
有機物からなるチップと、
前記チップが内部に封入されるとともに通水性を備え、しかも有機物の繊維材からなる袋体とを備えることを特徴とする植樹マット。
【請求項２】
樹木が植えられた地表面を覆うマルチング材として用いられる植樹マットであって、
有機物からなるチップと、
前記チップが内部に封入されるとともに通水性を備え、しかも有機物の繊維材からなる袋体とを備え、
さらに前記袋体は、端部から中央部に向かってスリットが形成された分割部を有する二股の袋状であることを特徴とする植樹マット。
【請求項３】
樹木が植えられた地表面を覆うマルチング材として用いられる植樹マットであって、
有機物からなるチップと、
前記チップが内部に封入されるとともに通水性を備え、しかも有機物の繊維材からなる袋体とを備え、
さらに前記袋体は、端部から中央部を越えてスリットが形成された分割部を有する二股の袋状であることを特徴とする植樹マット。
【請求項４】
樹木が植えられた地表面を覆うマルチング材として用いられる植樹マットであって、
有機物からなるチップと、
前記チップが内部に封入されるとともに通水性を備え、しかも有機物の繊維材からなる袋体とを備え、
さらに前記袋体は、中央部に貫通孔が形成されるとともに、端部から前記貫通孔まで延びるスリットが形成された分割部を有する二股の袋状であることを特徴とする植樹マット。
【請求項５】
前記袋体は、前記袋体の二股に分かれた分割部を互いに連結した状態を保持する連結具を備えることを特徴とする請求項２乃至４のうちいずれか一つに記載の植樹マット。
【請求項６】
前記チップは、木屑であることを特徴とする請求項１乃至５のうちいずれか一つに記載の植樹マット。
【請求項７】
前記袋体は、不織布からなることを特徴とする請求項１乃至６のうちいずれか一つに記載の植樹マット。
【請求項８】
前記袋体に、前記チップとともに肥料を封入したことを特徴とする請求項１乃至７のうちいずれか一つに記載の植樹マット。
【考案の詳細な説明】
【技術分野】
【０００１】
本考案は、樹木が植えられた地表面を覆うマルチング材として用いる植樹マットに関するものである。
【背景技術】
【０００２】
従来、畑の野菜や、公園や道路脇に樹木が植えられた地表面には、雑草の繁殖の抑制、土壌の流亡の防止、樹木等の育成促進等の目的でシート等によりマルチングが施されている。このようなマルチング材としては、図８に示すようにポリ塩化ビニルの薄い植樹シート１０が一般的である。
しかし、ポリ塩化ビニルの植樹シート１０を用いると、使用した後の植樹シート１０はゴミとなってしまう。また、強風時には植樹シート１０が飛ばされてしまうといった問題がある。
【０００３】
そこで、図９に示すようなマルチング構造２０が開示されている（例えば、特許文献１参照）。
【先行技術文献】
【特許文献】
【０００４】
【特許文献１】特開２００８−９２９１７号公報
【０００５】
特許文献１に記載の発明は、地表面に敷かれた植物繊維製のシート２１と、シート２１を地表面に固定する杭２２と、シート２１の上面に敷かれ接着剤が混合されたウッドチップ２３からなる。
この発明によると、ウッドチップ２３には接着剤が混合されているので、接着剤の固化後は強風が吹いてもウッドチップ２３が飛ばされるおそれがない。
また、使用後にウッドチップ２３や植物繊維製のシート２１を回収しなくても、これらは施工から数年で腐朽するので、ゴミが発生せず環境に優しい。
【考案の概要】
【考案が解決しようとする課題】
【０００６】
しかしながら、特許文献１に記載の発明においては、シート２１を敷いて杭２２を打ち込む作業や、ウッドチップ２３に接着剤を均一に混合する作業があるので、施工に手間がかかるという問題がある。
【０００７】
そこで、本考案の目的とするところは、使用後にゴミが発生せず、しかも施工が容易なマルチング材として用いられる植樹マットを提供することにある。
【課題を解決するための手段】
【０００８】
上記の目的を達成するために、本考案の請求項１に記載の植樹マット（３０）は、樹木（Ｔ）が植えられた地表面を覆うマルチング材として用いられる植樹マット（３０）であって、有機物からなるチップ（３１）と、前記チップ（３１）が内部に封入されるとともに通水性を備え、しかも有機物の繊維材からなる袋体（３２）とを備えることを特徴とする。
【０００９】
また、請求項２に記載の植樹マット（３０）は、樹木（Ｔ）が植えられた地表面を覆うマルチング材として用いられる植樹マット（３０）であって、有機物からなるチップ（３１）と、前記チップ（３１）が内部に封入されるとともに通水性を備え、しかも有機物の繊維材からなる袋体（３２）とを備え、さらに前記袋体（３２）は、端部（３２ａ）から中央部（３２ｃ）に向かってスリット（３３）が形成された分割部（３４）を有する二股の袋状であることを特徴とする。
【００１０】
また、請求項３に記載の植樹マット（３０）は、樹木（Ｔ）が植えられた地表面を覆うマルチング材として用いられる植樹マット（３０）であって、有機物からなるチップ（３１）と、前記チップ（３１）が内部に封入されるとともに通水性を備え、しかも有機物の繊維材からなる袋体（３２）とを備え、さらに前記袋体（３２）は、端部（３２ａ）から中央部（３２ｃ）を越えてスリット（３３）が形成された分割部（３４）を有する二股の袋状であることを特徴とする。
【００１１】
また、請求項４に記載の植樹マット（３０）は、樹木（Ｔ）が植えられた地表面を覆うマルチング材として用いられる植樹マット（３０）であって、有機物からなるチップ（３１）と、前記チップ（３１）が内部に封入されるとともに通水性を備え、しかも有機物の繊維材からなる袋体（３２）とを備え、さらに前記袋体（３２）は、中央部（３２ｃ）に貫通孔（３５）が形成されるとともに、端部（３２ａ）から前記貫通孔（３５）まで延びるスリット（３３）が形成された分割部（３４）を有する二股の袋状であることを特徴とする。
【００１２】
また、請求項５に記載の植樹マット（３０）は、前記袋体（３２）は、前記袋体（３２）の二股に分かれた分割部（３４）を互いに連結した状態を保持する連結具（３６）を備えることを特徴とする。
【００１３】
また、請求項６に記載の植樹マット（３０）は、前記チップ（３１）は、木屑であることを特徴とする。
【００１４】
また、請求項７に記載の植樹マット（３０）は、前記袋体（３２）は、不織布からなることを特徴とする。
【００１５】
また、請求項８に記載の植樹マット（３０）は、前記袋体（３２）に、前記チップ（３１）とともに肥料を封入したことを特徴とする。
【００１６】
ここで、上記括弧内の記号は、図面および後述する考案を実施するための形態に掲載された対応要素または対応事項を示す。
【考案の効果】
【００１７】
本考案の請求項１に記載の植樹マットによれば、例えば木屑（請求項６）等の有機物からなるチップと、チップが内部に封入されるとともに通水性を備え、しかも例えば不織布（請求項７）等の有機物の繊維材からなる袋体とを備えるので、雑草の繁殖を抑制できる。また、有機物からなるチップ及び袋体は施工から数年で腐朽するので、ゴミが発生せず環境に優しい。また、腐朽した植樹マット自体が有機肥料となる。さらに、植樹マットはチップが袋体に封入されてなるので、植樹マットはある程度の重量を備え、強風等によって飛ばされ難い。
また、チップが袋体に封入されてなる植樹マットを施工現場まで運搬し、現場ではその植樹マットを配置するだけで済むので、施工は極めて容易である。
【００１８】
また、請求項２に記載の植樹マットによれば、有機物からなるチップと、チップが内部に封入されるとともに通水性を備え、しかも有機物の繊維材からなる袋体とを備え、さらに袋体は、端部から中央部に向かってスリットが形成された分割部を有する二股の袋状であるので、分割部で樹木の根元を挟むことができる。よって、強風等によっても植樹マットは樹木から外れ難い。
もちろん、雑草の繁殖抑制性、環境性及び施工性は良好である。
【００１９】
また、請求項３に記載の植樹マットによれば、有機物からなるチップと、チップが内部に封入されるとともに通水性を備え、しかも有機物の繊維材からなる袋体とを備え、さらに袋体は、端部から中央部を越えてスリットが形成された分割部を有する二股の袋状であるので、分割部で樹木の根元を挟む植樹マットの設置状態においては、分割部で深く樹木の根元を挟むことができ、強風で植樹マットが外れ難い。
【００２０】
また、請求項４に記載の植樹マットによれば、有機物からなるチップと、チップが内部に封入されるとともに通水性を備え、しかも有機物の繊維材からなる袋体とを備え、さらに袋体は、中央部に貫通孔が形成されるとともに、端部から貫通孔まで延びるスリットが形成された分割部を有する二股の袋状であるので、貫通孔の周面が樹木の根元に沿うように植樹マットを樹木に装着することができる。よって、樹木が貫通孔の径より太い場合でもスリットが最小限しか開かないので、植樹マットはより外れ難い。もちろん、樹木が貫通孔の径より細い場合には、装着時においてスリットは元々形成された幅以上には広がらないので、植樹マットは外れ難い。
【００２１】
また、請求項５に記載の植樹マットによれば、袋体は、袋体の二股に分かれた分割部を互いに連結した状態を保持する連結具を備えるので、植樹マットを樹木に装着した後に、袋体の二股に分かれた分割部を互いに連結することで、樹木から植樹マットがより外れ難い。
【００２２】
また、請求項８に記載の植樹マットによれば、袋体にチップとともに肥料を封入したので、雨が降るたびに植樹マット内の肥料が滲み出し、樹木の育成促進を図ることができる。
【００２３】
なお、本考案の植樹マットのように、有機物からなるチップが内部に封入された有機物の繊維材からなる袋体を備える点は、上述した特許文献１には全く記載されていない。
【図面の簡単な説明】
【００２４】
【図１】本考案の第一実施形態に係る植樹マットを示す平面図である。
【図２】図１に示す植樹マットのＡ−Ａ線断面図である。
【図３】図１に示す植樹マットの使用状態を示す平面図である。
【図４】図１に示す植樹マットの使用状態を示す斜視図である。
【図５】他の実施形態に係る植樹マットの使用状態を示す平面図である。
【図６】本考案の第二実施形態に係る植樹マットの使用状態を示す斜視図である。
【図７】さらに他の実施形態に係る植樹マットの使用状態を示す斜視図である。
【図８】従来例に係る植樹マットを示す斜視図である。
【図９】他の従来例に係る植樹マットを示す斜視図である。
【考案を実施するための形態】
【００２５】
（第一実施形態）
図１乃至図４を参照して、本考案の第一実施形態に係る植樹マット３０を説明する。
この植樹マット３０は、街路樹等の樹木Ｔが植えられた地表面を覆うマルチング材として用いられる植樹マット３０であって、チップ３１と、袋体３２とを備えるものである。
【００２６】
チップ３１は、有機物からなる。具体的には、木材メーカー等から廃材として出された木片を粉砕等してなる木屑である。
【００２７】
袋体３２は、チップ３１を内部に封入する袋であり、有機物の繊維材、ここでは不織布を縫合してなる。よって、袋体３２は通水性を備える。
そして、図１に示すように外形が略正方形であり、端部３２ａ（ここでは正方形の一辺の中央）から袋体３２の中央部３２ｃを越える箇所までの深いスリット３３が一つ形成された分割部３４を有する。つまり、袋体３２は二股の袋状となっている。
また、袋体３２にはチップ３１とともに肥料（図示せず）が封入されている。
なお、袋体３２へのチップ３１及び肥料（図示せず）の封入は、スリット３３が形成された端部３２ａの反対側の他端３２ｂを開口して行い、チップ３１の封入後はその開口した他端３２ｂを糸で縫い合わせる。
【００２８】
以上のように構成された植樹マット３０は、図３及び図４に示すように植樹マット３０のスリット３３で樹木Ｔの根元を挟み、樹木Ｔが植えられた地表面を覆うようにして、樹木Ｔに取付けられる。このとき、樹木Ｔの根元から植樹マット３０を外れ難くするために、分割部３４が樹木Ｔの根元全周を巻き込むように分割部３４を互いに重ねる。
なお、このように分割部３４を互いに重ねることで、雨水が植樹マット３０の中央部３２ｃに集まり易く、樹木Ｔの育成促進を図ることができるといったメリットもある。
【００２９】
ここで、図５に示すように分割部３４それぞれの先端に繋がる二本の紐３６がある場合には、これを互いに結ぶことで、分割部３４を互いに連結した状態を保持することができる。こうすることで、植樹マット３０は樹木Ｔから一層外れ難い。
【００３０】
このような植樹マット３０によれば、地表面を覆うので従来の植樹マット１０，２０と同様に雑草の繁殖を抑制でき、土壌の流亡を防止することができる。
また、木屑であるチップ３１と、有機物の繊維材である不織布からなる袋体３２は施工から数年で腐朽するので、ゴミが発生せず環境に優しい。また、腐朽した植樹マット３０自体が有機肥料となる。しかも、チップ３１は廃材をリサイクルしたものであるので、この点においても環境に優しい。
【００３１】
また、袋体３２は、端部３２ａから中央部３２ｃを越えてスリット３３が形成された分割部３４を有する二股の袋状であるので、分割部３４で深く樹木Ｔの根元を挟むことができ、強風等で植樹マット３０が外れ難い。
さらに、チップ３１が袋体３２に封入され、植樹マット３０はある程度の重量があるので、強風によって飛ばされ難い。
【００３２】
また、チップ３１が袋体３２に封入されてなる植樹マット３０を施工現場まで運搬し、現場ではその植樹マット３０を配置するだけで済むので、施工は極めて容易である。
しかも、袋体３２には肥料も封入しているので、雨が降るたびに植樹マット３０内の肥料が滲み出し、樹木Ｔの育成促進を図ることができる。
【００３３】
（第二実施形態）
次に図６を参照して、本考案の第二実施形態に係る植樹マット３０を説明する。なお、第一実施形態と同一部分には同一符号を付した。
【００３４】
本実施形態の第一実施形態との違いは袋体３２の形状にあり、その他の構成要素に関しては第一実施形態と同一である。
【００３５】
本実施形態に係る植樹マット３０は外形が円形で、袋体３２の中央部３２ｃに貫通孔３５が形成されている。そして、袋体３２の端部３２ａから貫通孔３５までスリット３３が延びて、袋体３２は二股の袋状となっている。つまり、植樹マット３０はスリット３３が形成されたドーナツ形状となっている。
【００３６】
袋体３２は、中央部３２ｃに貫通孔３５が形成されるとともに、端部３２ａから貫通孔３５まで延びるスリット３３が形成された分割部３４を有する二股の袋状であるので、貫通孔３５の周面が樹木Ｔの根元に沿うように植樹マット３０を樹木Ｔに装着することができる。よって、樹木Ｔが貫通孔３５の径より太い場合でもスリット３３が最小限しか開かないので、植樹マット３０はより外れ難い。もちろん、樹木Ｔが貫通孔３５の径より細い場合には、装着時においてスリット３３は元々形成された幅以上には広がらないので、植樹マット３０は外れ難い。
ここで、環境性及び施工性がよいのは第一実施形態同様である。
【００３７】
なお、第一、第二実施形態において袋体３２は二股の袋状としたが、これに限られるものではなく、図７に示すように、例えば略矩形状の枕のような形状でもよい。このような形状であっても、施工に手間や時間はかからず、また最終的には植樹マット３０が腐朽して土に返ることには変わりない。
【００３８】
また、有機物からなるチップ３１を木屑であるとしたが、これに限られるものではなく、例えば藁や落ち葉等であってもよいし、これらの混合物であってもよい。
また、袋体３２は不織布であるとしたが、通常の織ってなる布であってもよい。さらに、通水性があり、かつ将来的に腐朽するものであれば、これらに限られるものではない。
【００３９】
また、袋体３２にチップ３１とともに肥料を封入したとしたが、チップ３１のみが封入されていてもよい。
また、連結具３６は紐であるとしたが、これに限られるものではない。
【００４０】
また、第一実施形態において、スリット３３は袋体３２端部３２ａから中央部３２ｃを越えて形成されたとしたが、これに限られるものではなく、スリット３３は第一実施形態に係るものよりも浅く形成されてもよい。
【００４１】
また、第二実施形態において、植樹マット３０の外形が円形で、かつ袋体３２の中央部３２ｃに貫通孔３５を形成したが、植樹マット３０の外形はどのような形状であってもよく、さらには貫通孔３５が形成されていなくてもよい。
【符号の説明】
【００４２】
１０      植樹シート
２０      マルチング構造
２１      シート
２２      杭
２３      ウッドチップ
３０      植樹マット
３１      チップ
３２      袋体
３２ａ    端部
３２ｂ    他端
３２ｃ    中央部
３３      スリット
３４      分割部
３５      貫通孔
３６      連結具（紐）
Ｔ      樹木
【図１】
0003153724.tif 000003
【図２】
0003153724.tif 000004
【図３】
0003153724.tif 000005
【図４】
0003153724.tif 000006
【図５】
0003153724.tif 000007
【図６】
0003153724.tif 000008
【図７】
0003153724.tif 000009
【図８】
0003153724.tif 000010
【図９】
0003153724.tif 000011